(57)【要約】【課題】管状ガラスランプ容器の両端部に配設された外部電極にランプ軸方向に細長い形状の開口部を設けることによって有効発光長を長くする。【解決手段】誘電体バリア放電型低圧放電ランプ１１において、管状ガラスランプ容器２０の両端部の外表面に外部電極２２，２７を配設し、この外部電極にランプ軸方向に細長い開口部１００，１０１を設けることにより、ランプ管のほぼ全長から発光するようにし、有効発光長を従来のものよりも長くする。また、外部電極の配設部分の内側の管状ガラスランプ容器２０の内壁面に蛍光体層７０を設けず、光透過性の保護膜８０だけを設けることにより、蛍光体層への水銀吸着による水銀消耗が無く、ランプが長寿命化する。【選択図】      図１
2004207068.tif 000002
【特許請求の範囲】
【請求項１】
管状ガラスランプ容器にその両端部の外面を覆うように外部電極を配設し、
前記外部電極の少なくとも一方に、前記管状ガラスランプ容器内からの光を透過させるランプ軸方向に細長い開口部を設けて成る誘電体バリア放電型低圧放電ランプ。
【請求項２】
前記開口部は、前記外部電極に占める割合がランプ軸方向中央部に近い方では大きく、ランプ管端に近い方では小さくなる形状にしたことを特徴とする請求項１に記載の誘電体バリア放電型低圧放電ランプ。
【請求項３】
前記管状ガラスランプ容器の内壁面における前記外部電極の非配設部分の内側に当たる部分に、光透過性の保護膜とその内側の蛍光体層とを形成したことを特徴とする請求項１又は２に記載の誘電体バリア放電型低圧放電ランプ。
【請求項４】
前記管状ガラスランプ容器の内壁面における前記外部電極の配設部分の内側に当たる部分に、光透過性の保護膜のみを設けたことを特徴とする請求項３に記載の誘電体バリア放電型低圧放電ランプ。
【発明の詳細な説明】
【０００１】
【発明の属する技術分野】
本発明は誘電体バリア放電型低圧放電ランプに関する。
【０００２】
【従来の技術】
管状ガラスランプ容器の外表面に電極を備える、いわゆる誘電体バリア放電型低圧放電ランプとして、例えば実開昭６１−１２６５５９号公報に記載されたものが知られている。この既知のランプは、以下の方法で容易に実現できる構造である。
【０００３】
図７のランプ軸方向断面図、図８の電極部円周方向断面図において、１０は誘電体バリア放電型低圧放電ランプであり、２０は両端が封止された管状ガラスランプ容器である。この管状ガラスランプ容器２０の内部には、希ガスもしくは水銀と希ガスの混合ガス等のイオン化可能な充填剤６０が封入される。
【０００４】
管状ガラスランプ容器２０の内壁面には、必要に応じて蛍光体層７０が形成される。管状ガラスランプ容器２０の両端部外面には、外部電極２１，２６が配設されている。この外部電極２１，２６は、電流導体層として例えばアルミ箔および導電性粘着剤からなる金属テープを巻着することによって形成する。
【０００５】
【特許文献１】
実開昭６１−１２６５５９号公報
【０００６】
【発明が解決しようとする課題】
このような構成の従来の誘電体バリア放電型低圧放電ランプでは、管状ガラスランプ容器２０内に電極が配置されていないために電極の消耗が起こらず、寿命が長いという特長がある。しかし、管状ガラスランプ容器２０の両端部の外部電極２１，２６を配設している部分は非発光部分であるため、有効発光長が短くなる問題点があった。
【０００７】
本発明は、このような従来の問題点に鑑みてなされたもので、管状ガラスランプ容器の両端部に配設された外部電極にランプ軸方向に細長い形状の開口部を設けることによって有効発光長を長くできる誘電体バリア放電型低圧放電ランプを提供することを目的とする。
【０００８】
【課題を解決するための手段】
請求項１の発明の誘電体バリア放電型低圧放電ランプは、管状ガラスランプ容器にその両端部の外面を覆うように外部電極を配設し、前記外部電極の少なくとも一方に、前記管状ガラスランプ容器内からの光を透過させるランプ軸方向に細長い開口部を設けたものである。
【０００９】
請求項２の発明は、請求項１の誘電体バリア放電型低圧放電ランプにおいて、前記開口部は、前記外部電極に占める割合がランプ軸方向中央部に近い方では大きく、ランプ管端に近い方では小さくなる形状にしたことを特徴とするものである。
【００１０】
請求項３の発明は、請求項１又は２の誘電体バリア放電型低圧放電ランプにおいて、前記管状ガラスランプ容器の内壁面における前記外部電極の非配設部分の内側に当たる部分に、光透過性の保護膜とその内側の蛍光体層とを形成したことを特徴とするものである。
【００１１】
請求項４の発明は、請求項３の誘電体バリア放電型低圧放電ランプにおいて、前記管状ガラスランプ容器の内壁面における前記外部電極の配設部分の内側に当たる部分に、光透過性の保護膜を設けたことを特徴とするものである。
【００１２】
請求項１〜４の発明の誘電体バリア放電型低圧放電ランプでは、管状ガラスランプ容器の両端部の外表面に外部電極を配設し、この外部電極にランプ軸方向に細長い開口部を設けることにより、外部電極の存在しないランプ中央部ではガラスランプ容器の全体から発光し、またランプ管端では外部電極の開口部から発光し、ランプ管のほぼ全長から発光することになって有効発光長が従来のものと比べて長くなる。また、外部電極の配設部分の内側の管状ガラスランプ容器の内壁面に蛍光体層を設けず、光透過性の保護膜だけを設けることにより、蛍光体層への水銀吸着による水銀消耗が無く、ランプが長寿命化する。
【００１３】
【発明の実施の形態】
以下、本発明の実施の形態を図に基づいて詳説する。図１〜図３は本発明の１つの実施の形態の誘電体バリア放電型低圧放電ランプ１１の構成を示している。本実施の形態の誘電体バリア放電型低圧放電ランプ１１では、管状ガラスランプ容器２０にその両端部の外面を覆うように外部電極２２，２７を配設し、この外部電極２２，２７それぞれに、管状ガラスランプ容器２０内からの光を透過させるランプ軸方向に細長い開口部１００，１０１を設けている。
【００１４】
管状ガラスランプ容器２０の内壁部には、半透明の光透過性保護膜８０をほぼ全面に渡った設け、外部電極２２，２７に対向する両端部を残して保護膜８０のさらに内側に蛍光体層７０を形成している。管状ガラスランプ容器２０の内部の放電空間には従来同様に充填剤６０を封入している。
【００１５】
外部電極２２，２７は従来と同様、例えば、アルミ箔に導電性粘着剤を付着させた金属テープで構成する。
【００１６】
本実施の形態の誘電体バリア放電型低圧放電ランプ１１は、図４に示すように例えばバックライト装置のような照明装置９０の電源電極９１，９５に装着し、電源電極９１，９５を通じて各ランプ１１の外部電極２２，２７間に高周波高電圧を印加することによって放電点灯させる。
【００１７】
本実施の形態の誘電体バリア放電型低圧放電ランプ１１では、この発光において、外部電極２２，２７の存在しないランプ中央部ではガラスランプ容器の全体から発光し、またランプ管端では外部電極２２，２７の開口部１００，１０１から発光し、ランプ管のほぼ全長から発光することになって有効発光長が従来のものと比べて長くなる。また、外部電極の配設部分の内側の管状ガラスランプ容器の内壁面に蛍光体層を設けず、光透過性の保護膜だけを設けることにより、蛍光体層への水銀吸着による水銀消耗が無く、ランプが長寿命化する。
【００１８】
なお、外部電極２２，２７に設ける開口部１００，１０１の形状は特に限定されることはなく、例えば、図５に示したように細長い三角形状にすることにより、外部電極２２，２７に占める開口割合がランプ軸方向中央部に近い方では大きく、ランプ管端に近い方では小さくなる形状にしてもよい。あるいは、図６に示したように、細長い半楕円形にすることもできる。
【００１９】
【実施例】
本発明の実施例の特性を、比較例と比較して説明する。
【００２０】
［本発明実施例］
＜管状ガラスランプ容器＞
材質：ホウ珪酸ガラス。
【００２１】
寸法：外径２．６ｍｍ、内径２．０ｍｍ、全長３５０ｍｍ。
【００２２】
＜金属テープ＞
アルミニウム箔＋導電性粘着剤。
【００２３】
寸法：厚み０．０５ｍｍ、配設部の長さ２０ｍｍ。
【００２４】
開口部：管状ガラスランプ容器円周方向１８０°。
【００２５】
＜蛍光体層＞
材質：三波長蛍光体、厚み：２０μｍ。
【００２６】
＜封入物＞
封入ガス：ネオンとアルゴンの混合ガス（組成比：ネオン／アルゴン＝９０モル％／１０モル％）。
【００２７】
封入圧：６０Ｔｏｒｒ。
【００２８】
水銀：封入量３ｍｇ。
【００２９】
［比較例］
＜管状ガラスランプ容器＞
材質：ホウ珪酸ガラス。
【００３０】
寸法：外径２．６ｍｍ、内径２．０ｍｍ、全長３５０ｍｍ。
【００３１】
＜金属テープ＞
アルミニウム箔＋導電性粘着剤。
【００３２】
寸法：厚み０．０５ｍｍ、配設部の長さ２０ｍｍ。
【００３３】
開口部は設けず、ランプ容器の端部全周に巻着。
【００３４】
＜蛍光体層＞
材質：三波長蛍光体、厚み：２０μｍ。
【００３５】
＜封入物＞
封入ガス：ネオンとアルゴンの混合ガス（組成比：ネオン／アルゴン＝９０モル％／１０モル％）。
【００３６】
封入圧：６０Ｔｏｒｒ。
【００３７】
水銀：封入量３ｍｇ。
【００３８】
本発明実施例と比較例の誘電体バリア放電型低圧放電ランプについて、有効発光長を比較したところ、比較例では外部電極部分が非発光部であったが、外部電極に開口部を設けた本発明実施例では、有効発光長が長いことが確認できた。
【００３９】
【発明の効果】
以上のように本発明によれば、管状ガラスランプ容器の両端部の外表面に外部電極を配設し、この外部電極にランプ軸方向に細長い開口部を設けたので、外部電極の存在しないランプ中央部ではガラスランプ容器の全体から発光し、またランプ管端では外部電極の開口部から発光し、ランプ管のほぼ全長から発光することになって有効発光長が従来のものと比べて長くできる。また、外部電極の配設部分の内側の管状ガラスランプ容器の内壁面に蛍光体層を設けず、光透過性の保護膜だけを設ければ、蛍光体層への水銀吸着による水銀消耗が無く、ランプを長寿命化できる。
【図面の簡単な説明】
【図１】本発明の第１の実施の形態のランプ軸方向の断面図。
【図２】図１におけるII−II線断面図。
【図３】上記実施の形態の正面図。
【図４】上記実施の形態の誘電体バリア放電型低圧放電ランプを装着した照明装置の斜視図。
【図５】本発明の他の実施の形態の斜視図。
【図６】本発明のさらに他の実施の形態の斜視図。
【図７】従来例のランプ軸方向の断面図。
【図８】図７におけるVIII-VIII線断面図。
【符号の説明】
１１  誘電体バリア放電型低圧放電ランプ
２０  管状ガラスランプ容器
２２，２７  外部電極
６０  充填剤
７０  蛍光体層
８０  保護膜
１００，１０１  開口部
【図１】
2004207068.tif 000003
【図２】
2004207068.tif 000004
【図３】
2004207068.tif 000005
【図４】
2004207068.tif 000006
【図５】
2004207068.tif 000007
【図６】
2004207068.tif 000008
【図７】
2004207068.tif 000009
【図８】
2004207068.tif 000010